(57)【要約】【課題】  所望の方向へ光を照射でき、指向性の強い光を照射できる照明器具を提供する。【解決手段】  照明器具１０は、器具本体１１と、器具本体１１に取り付けられるソケット１２と、ソケット１２に機械的および電気的に接続される直管型ＬＥＤランプ１４とを備え、直管型ＬＥＤランプ１４が、軸回動可能である。【選択図】  図１
2012174511.tif 000002
【特許請求の範囲】
【請求項１】
器具本体と、
前記器具本体に取り付けられるソケットと、
前記ソケットに機械的および電気的に接続される直管型ＬＥＤランプとを備え、
前記直管型ＬＥＤランプが、軸回動可能である照明器具。
【請求項２】
請求項１に記載の照明器具において、
前記ソケットが、回動可能である照明器具。
【請求項３】
請求項１または請求項２に記載の照明器具において、
前記ソケットが、前記直管型ＬＥＤランプに有する口金ピンが挿入されるピン案内部を開閉可能な蓋を有する照明器具。
【請求項４】
請求項１ないし請求項３のうちのいずれか１項に記載の照明器具において、
前記直管型ＬＥＤランプが、外周面のあらかじめ定められた範囲に反射面を有する照明器具。
【請求項５】
請求項１ないし請求項４のうちのいずれか１項に記載の照明器具において、
前記直管型ＬＥＤランプが３本以上装備される場合、外側に配置される前記直管型ＬＥＤランプが回動可能である照明器具。
【請求項６】
請求項１ないし請求項５のうちのいずれか１項に記載の照明器具において、
前記ソケットが、前記直管型ＬＥＤランプの前記口金ピンを保持するための把持部を有する照明器具。
【発明の詳細な説明】
【技術分野】
【０００１】
本発明は、直管型ＬＥＤランプを光源として天井面側に設置される照明器具に関する。
【背景技術】
【０００２】
従来より、器具本体に直管型ＬＥＤランプを取り付けた照明器具が知られている（例えば、特許文献１参照）。
【先行技術文献】
【特許文献】
【０００３】
【特許文献１】実用新案登録第３１６３４４３号公報（図２）
【発明の概要】
【発明が解決しようとする課題】
【０００４】
ところが、特許文献１に記載の照明器具は、直管型ＬＥＤランプが器具本体のソケットに機械的および電気的に接続された状態において照射方向を変更できない。
従って、特許文献１に記載の照明器具は、所望の方向へ光を照射できない。
【０００５】
また、特許文献１に記載の照明器具は、直管型ＬＥＤランプに反射機能を有さない。
従って、特許文献１に記載の照明器具は、指向性の強い光を照射できない。
【０００６】
本発明は、前述した課題を解決するためになされたものであり、その目的は、所望の方向へ光を照射でき、指向性の強い光を照射できる照明器具を提供することにある。
【課題を解決するための手段】
【０００７】
本発明に係る照明器具は、器具本体と、前記器具本体に取り付けられるソケットと、前記ソケットに機械的および電気的に接続される直管型ＬＥＤランプとを備え、前記直管型ＬＥＤランプが、軸回動可能である。
【０００８】
本発明に係る照明器具は、前記ソケットが、回動可能である。
【０００９】
本発明に係る照明器具は、前記ソケットが、前記直管型ＬＥＤランプに有する口金ピンが挿入されるピン案内部を開閉可能な蓋を有する。
【００１０】
本発明に係る照明器具は、前記直管型ＬＥＤランプが、外周面のあらかじめ定められた範囲に反射面を有する。
【００１１】
本発明に係る照明器具は、前記直管型ＬＥＤランプが３本以上装備される場合、外側に配置される前記直管型ＬＥＤランプが回動可能である。
【００１２】
本発明に係る照明器具は、前記ソケットが、前記直管型ＬＥＤランプの前記口金ピンを保持するための把持部を有する。
【発明の効果】
【００１３】
本発明に係る照明器具によれば、所望の方向へ光を照射でき、指向性の強い光を照射できるという効果を奏する。
【図面の簡単な説明】
【００１４】
【図１】本発明に係る第１実施形態の照明器具の短手方向の垂直断面図
【図２】本発明に係る第１実施形態の照明器具のソケット周りの外観斜視図
【図３】本発明に係る第１実施形態の照明器具のソケット周りの側面図
【図４】本発明に係る第１実施形態の照明器具に適用される直管型ＬＥＤランプの垂直断面図
【図５】本発明に係る第２実施形態の照明器具の短手方向の垂直断面図
【図６】本発明に係る第３実施形態の照明器具の短手方向の垂直断面図
【図７】本発明に係る第４実施形態の照明器具の直管型ＬＥＤランプの装着前の垂直断面図
【図８】本発明に係る第４実施形態の照明器具のソケット周りの長手方向の垂直断面図
【図９】本発明に係る第４実施形態の照明器具の直管型ＬＥＤランプの装着後の垂直断面図
【図１０】本発明に係る第５実施形態の照明器具のソケット周りの外観斜視図
【図１１】本発明に係る第５実施形態の照明器具の直管型ＬＥＤランプの装着時のソケット周りの正面図
【図１２】本発明に係る第６実施形態の照明器具の直管型ＬＥＤランプの回動前の短手方向の垂直断面図
【図１３】本発明に係る第６実施形態の照明器具のソケット周りの長手方向の垂直断面図
【図１４】本発明に係る第６実施形態の照明器具の直管型ＬＥＤランプの回動時の短手方向の垂直断面図
【発明を実施するための形態】
【００１５】
以下、本発明に係る複数の実施形態の照明器具について図面を参照して説明する。
（第１実施形態）
図１に示すように、本発明に係る第１実施形態の照明器具１０は、器具本体１１と、器具本体１１の長手方向の両端部にソケット台１３を介して取り付けられた二対のソケット１２とを備える。
ソケット１２は、接地側ソケットと給電側ソケットとである。
また、照明器具１０は、ソケット１２に機械的および電気的に接続される一対の直管型ＬＥＤランプ１４を備える。
そして、照明器具１０は、器具本体１１の内面に有する第１反射板１５と、器具本体１１の中央部に長手方向に有する第２反射板１６とを備える。
さらに、照明器具１０は、第２反射板１６に覆われる器具本体１１の下面に取り付けられた電源ユニット１７を備える。
照明器具１０は、天井面１に形成された取付孔２に埋設される。
【００１６】
ソケット１２は、樹脂製であって、内方に配置されたランプ取付面１８に、図１中の下方である床面側から中央部に向けて溝形状に形成されたピン案内部１９を有する。
【００１７】
図２に示すように、直管型ＬＥＤランプ１４は、断面がほぼ円形状のガラス管２０の端部の口金２１に断面視Ｔ字形状の１本の口金ピン２２を有する。
ソケット１２は、ピン案内部１９の内部に口金ピン接続金具２３を有する。口金ピン接続金具２３は、電源ユニット１７に電気的に接続される。
【００１８】
口金ピン接続金具２３は、直管型ＬＥＤランプ１４の口金ピン２２がピン案内部１９に挿入されることにより、口金ピン２２に機械的および電気的に接続される。
そして、直管型ＬＥＤランプ１４は、口金ピン２２が口金ピン接続金具２３に機械的および電気的に接続された状態において、口金ピン２２が床面方向を中心として左右に４５度の範囲で軸回動可能である。
【００１９】
図３および図４に示すように、直管型ＬＥＤランプ１４は、ガラス管２０内に、複数のＬＥＤ２４を長手方向に実装させたＬＥＤ基板２５を有するＬＥＤユニット２６を内蔵している。
そして、直管型ＬＥＤランプ１４は、ガラス管２０の外周面において、ＬＥＤ基板２５の上方に位置する円周のほぼ１／３の範囲に銀色の塗装を施した反射面２７を有する。
なお、反射面２７は、銀色の塗装に代えて、アルミニウム等の金属材料を蒸着させてもよい。
直管型ＬＥＤランプ１４は、図４中の下方の第１方向Ａ１がＬＥＤ２４の光軸方向に設定されている。
【００２０】
次に、照明器具１０の光学的な特性について説明する。
図１に戻り、直管型ＬＥＤランプ１４が、その口金ピン２２をソケット１２のピン案内部１９に挿入させることにより、口金ピン２２が口金ピン接続金具２３に機械的および電気的に接続される。
そして、直管型ＬＥＤランプ１４の光軸方向が第１方向Ａ１を中心に第２方向Ａ２と第３方向Ａ３との間の左右４５度の範囲で回動される。
【００２１】
このとき、図１中の右方側に配置された直管型ＬＥＤランプ１４が第２方向Ａ２まで回動されていて、図１中の左方側に配置された直管型ＬＥＤランプ１４が第３方向Ａ３まで回動される。
そして、電源ユニット１７から口金ピン接続金具２３を通じて口金ピン２２に給電されることにより、直管型ＬＥＤランプ１４が点灯される。
【００２２】
これにより、照明器具１０の照射範囲は、図１中の右方側に配置された直管型ＬＥＤランプ１４の光軸の第２方向Ａ２から、図１中の左方側に配置された直管型ＬＥＤランプ１４の光軸の第３方向Ａ３までの間の広い範囲となる。
従って、一対の直管型ＬＥＤランプ１４が軸回動可能であるために所望の方向へ光を照射できる。
【００２３】
このとき、直管型ＬＥＤランプ１４から出射された光成分が反射面２７により反射される。
従って、直管型ＬＥＤランプ１４の光成分の指向性が強くなるとともに直管型ＬＥＤランプ１４の影を少なくできる。
【００２４】
以上、説明したように第１実施形態の照明器具１０によれば、直管型ＬＥＤランプ１４が軸回動可能であるために所望の方向へ光を照射できる。
そして、第１実施形態の照明器具１０によれば、床面に加えてウォールウォッシャ照明を行って光の演出をできる。
【００２５】
また、第１実施形態の照明器具１０によれば、直管型ＬＥＤランプ１４から出射された光成分が反射面２７により反射されるために、直管型ＬＥＤランプ１４の光成分の指向性が強くなるとともに直管型ＬＥＤランプ１４の影を少なくできる。
【００２６】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２７】
図５に示すように、本発明に係る第２実施形態の照明器具３０は、器具本体１１が天井面１に直接取り付けられる直付型に適用される。
【００２８】
（第３実施形態）
次に、本発明に係る第３実施形態の照明器具について説明する。
図６に示すように、本発明に係る第３実施形態の照明器具４０は、器具本体４１に３本の直管型ＬＥＤランプ１４が装備されており、中央部に配置された直管型ＬＥＤランプ１４を除いて、両側に配置された直管型ＬＥＤランプ１４が軸回動可能である。
【００２９】
第３実施形態の照明器具４０によれば、直管型ＬＥＤランプ１４が３本装備される場合、外側に配置される直管型ＬＥＤランプ１４が回動可能である。
従って、第３実施形態の照明器具４０によれば、外側に配置される直管型ＬＥＤランプ１４により側方へ向けて光を積極的に照射できる。
【００３０】
（第４実施形態）
次に、本発明に係る第４実施形態の照明器具について説明する。
図７に示すように、本発明に係る第４実施形態の照明器具５０は、ソケット５１の口金ピン接続金具２３を開閉可能な口金ピン固定部（図９参照）５２を備え、この口金ピン固定部５２が把持部５３に接続されている。
【００３１】
図８に示すように、把持部５３は、器具本体１１の第１反射板１５の端板５４に形成されたガイド溝５５内を挿通して直管型ＬＥＤランプ１４側に突出している。
把持部５３は、ガイド溝５５の位置Ｂ１にあると、口金ピン固定部５２が開成される。
【００３２】
図９に示すように、ソケット５１は、把持部５３が、使用者によりガイド溝５５の位置Ｂ２まで移動されると、口金ピン固定部５２が閉成される。
【００３３】
第４実施形態の照明器具５０によれば、把持部５３により口金ピン固定部５２が開成されているときに、直管型ＬＥＤランプ１４がソケット５１に装着される。
そして、第３実施形態の照明器具４０によれば、直管型ＬＥＤランプ１４がソケット５１に装着された後に、把持部５３により口金ピン固定部５２が閉成されることにより、直管型ＬＥＤランプ１４をソケット５１に確実に固定して落下を防止できる。
【００３４】
（第５実施形態）
次に、本発明に係る第５実施形態の照明器具について説明する。
図１０に示すように、本発明に係る第５実施形態の照明器具６０は、ソケット６１のピン案内部１９の開口部にピン案内部１９を開閉可能な蓋６２を有する。
【００３５】
図１１に示すように、蓋６２は、ヒンジ６３を介してソケット６１のピン案内部１９に取り付けられている。
蓋６２は、ソケット６１のピン案内部１９に直管型ＬＥＤランプ１４の口金ピン２２が挿入される際に開成され、ソケット６１のピン案内部１９に直管型ＬＥＤランプ１４の口金ピン２２が挿入された後に閉成されてロックされる。
【００３６】
第５実施形態の照明器具６０によれば、ソケット６１のピン案内部１９に直管型ＬＥＤランプ１４の口金ピン２２が挿入される際に、蓋６２が開成される。
そして、第５実施形態の照明器具６０によれば、ソケット６１のピン案内部１９に直管型ＬＥＤランプ１４の口金ピン２２が挿入された後に、蓋６２が閉成されるために、直管型ＬＥＤランプ１４の落下を防止できる。
【００３７】
（第６実施形態）
次に、本発明に係る第６実施形態の照明器具について説明する。
図１２に示すように、本発明に係る第６実施形態の照明器具７０は、ソケット７１が、ソケット本体７２の中央部にピン案内部１９を有し、口金ピン接続金具２３とともに回動可能なソケット回動部７３を有する。
照明器具７０は、端部の口金２１に２本の口金ピン２２を備える直管型ＬＥＤランプ７４が適用される。
【００３８】
図１３に示すように、ソケット回動部７３は、器具本体１１のソケット台１３に挿通されてナット７５によりブラケット７６に支持されている回動軸７７により回動可能に接続されている。
そのため、ソケット回動部７３は、ピン案内部１９の案内方向を変更可能に、回動軸７７を中心として回動される。
【００３９】
直管型ＬＥＤランプ７４は、ソケット回動部７３が位置Ｃ１にあって、ピン案内部１９の下方が開放されているときに、２本の口金ピン２２がピン案内部１９に挿入される。
そのため、直管型ＬＥＤランプ７４は、２本の口金ピン２２が口金ピン接続金具２３に機械的および電気的にそれぞれ接続される。
そして、図１４に示すように、ソケット回動部７３が回動軸７７を中心として位置Ｃ１から位置Ｃ２まで回動される。
【００４０】
第６実施形態の照明器具７０によれば、ソケット回動部７３の回動に伴い、直管型ＬＥＤランプ７４が所望の方向へ光を照射できる。
【００４１】
なお、本発明の照明器具において器具本体，第１反射板，第２反射板，電源ユニット等は、前述した各実施形態に限定されるものでなく、適宜な変形や改良等が可能である。
【符号の説明】
【００４２】
１０，３０，４０，５０，６０，７０  照明器具
１１，４１  器具本体
１２，６１，７１  ソケット
１４，７４  直管型ＬＥＤランプ
１９  ピン案内部
２２  口金ピン
２７  反射面
５３  把持部
６２  蓋
【図１】
2012174511.tif 000003
【図２】
2012174511.tif 000004
【図３】
2012174511.tif 000005
【図４】
2012174511.tif 000006
【図５】
2012174511.tif 000007
【図６】
2012174511.tif 000008
【図７】
2012174511.tif 000009
【図８】
2012174511.tif 000010
【図９】
2012174511.tif 000011
【図１０】
2012174511.tif 000012
【図１１】
2012174511.tif 000013
【図１２】
2012174511.tif 000014
【図１３】
2012174511.tif 000015
【図１４】
2012174511.tif 000016